(57)【特許請求の範囲】
【請求項１】
コンクリート建造物の内壁の施工時に用いられる型枠の支持構造において、
前記支持構造は、型枠パネルを支持する縦端太及び横端太を井桁に組んで型枠パネルの外壁に係止金具を介して固着するとともに、井桁に組んだ縦端太及び横端太の外側にサポート用縦端太を装着し、該サポート用縦端太に床面から斜めに立ちあげたサポート部材を堅固に装着した構造であるとともに、
前記係止金具は、板状で木ねじ用の穴が穿設された台座と、台座に固定されて螺子が切られた軸と、軸に嵌められたナットと、軸に回転可能に装着された腕状金具とからなり、前記台座を木ねじによって型枠パネルに固定するとともに、腕状金具と台座の間に横端太を抱合係止させ、ナットによって腕状金具を締め付けて縦端太と横端太とを堅固に固着することを特徴とする内壁用型枠の支持構造。
【発明の詳細な説明】
【０００１】
【発明の属する技術分野】
本発明は、コンクリート建造物の内壁の施工に用いられる型枠の支持構造に関し、特に型枠を固定するセパレータの使用本数を大幅に減らすことが可能な型枠パネルの支持構造に関する。
【０００２】
【従来の技術】
コンクリート建造物の内壁は、型枠を組み上げてその型枠の中にコンクリートを打設し、コンクリートが固化してから型枠を外すことにより施工される。内壁施工における型枠の支持構造の従来例を図４に示す。
型枠５０は、型枠パネル５１、縦端太５２、横端太５３、桟木５４、セパレータ５５、フォームタイ５７で構成されている。
型枠パネル５１は、木製、ベニヤ製、樹脂製等の長方形の薄板であり、内壁の大きさに合わせて複数枚をつなぎ合わせて用いる。縦端太５２及び横端太５３は木製あるいは金属製の丸材は角材である。桟木５４は木製の角材である。セパレータ５５は、両端がねじ切りされた金属製の丸棒であり、両側の型枠パネル５１の間隔を保持するための２つの座金５６が固定されている。フォームタイ５７は、型枠パネルと縦端太及び横端太とを固定する部材であり、一端にセパレータ５５のねじが嵌め込まれるねじ穴を備えており、本体である軸には横端太５３を支持する腕状金具５８が回転可能に装着されている構成である。
【０００３】
型枠５０の施工方法は以下の通りである。
まず、片側の型枠パネル５１だけを所定位置に設置する。図４の左右どちら側から設置してもよいが、この例では左側の型枠パネルから設置することとする。型枠パネルの下端部は、コンクリート打設時に動かないよう床面に固定する。
次に、立ち上げた左側の型枠パネル５１に、所定本数のセパレータ５５及びフォームタイ５７を複数箇所に取り付ける。なお、型枠パネルには、あらかじめ所定間隔でセパレータ取り付け用の穴を開けておく。
次に、右側の型枠パネル５１を所定位置に設置する。左側の型枠パネル５１から突出しているセパレータ５５の先端が右側の型枠パネルに設けられた穴に嵌入するように設置する。続いて、右側の型枠パネル５１にフォームタイ５７を取り付ける。
左右の型枠パネル５１の外側に縦端太５２を所定間隔で配置し、続いてフォームタイ５７を上下から挟むようにして横端太５３を配置し、縦端太及び横端太をフォームタイで締め付けて固定する。
【０００４】
型枠５０が組み上がった後、向かい合った左右の型枠パネル５１の間にコンクリートを打設する。コンクリートが固化したら、フォームタイ５７、縦端太５２、横端太５３を取り外し、型枠パネル５１の解体を行う。
セパレータ５５はコンクリート内に埋設されるが、コンクリート壁面からセパレータの先端が突出した状態で残るので、不要部分である先端を内壁表面に窪みが生じる程度まで叩き折り、生じた窪みはモルタルを塗って平らに仕上げている。
【０００５】
上述した従来の型枠の支持構造では、向かい合った型枠パネル５１の間隔を保持するために、セパレータ５５を所定間隔で多数配置する必要がある。セパレータの取り付け作業は煩雑で手間がかかるので、型枠工事に時間がかかり、工期短縮の点から問題があった。
また、セパレータ５５は内壁の内部に埋設されて再利用できないので、型枠工事のコスト削減を図る上で問題となっていた。
さらに、コンクリートが固化し型枠を外した後、セパレータ端部を叩き折って生じた窪みにモルタルを充填して補修処理する必要があるが、長い年月が経過すると内壁内部に残されたセパレータから錆が出ることがあり、その錆がモルタルを通して染み出てきて、内壁表面に張られた壁紙を汚すトラブルが生ずることもあった。
【０００６】
【発明が解決しようとする課題】
本発明は、上記の問題点を解決するためになされたもので、内壁上部の梁の部分にはセパレータを用いるものの、内壁部分ではセパレータを用いずに型枠パネルの間隔を保持することができる内壁用型枠の支持構造を提供することを目的とする。
【０００７】
【課題を解決するための手段】
上記の目的を達成するために本発明に係る内壁用型枠の支持構造は、コンクリート建造物の内壁の施工時に用いられる型枠の支持構造において、前記支持構造は、型枠パネルを支持する縦端太及び横端太を井桁に組んで型枠パネルの外壁に係止金具を介して固着するとともに、井桁に組んだ縦端太及び横端太の外側にサポート用縦端太を装着し、該サポート用縦端太に床面から斜めに立ちあげたサポート部材を堅固に装着した構造であるとともに、前記係止金具は、板状で木ねじ用の穴が穿設された台座と、台座に固定されて螺子が切られた軸と、軸に嵌められたナットと、軸に回転可能に装着された腕状金具とからなり、前記台座を木ねじによって型枠パネルに固定するとともに、腕状金具と台座の間に横端太を抱合係止させ、ナットによって腕状金具を締め付けて縦端太と横端太とを堅固に固着する構成である。
【０００９】
【発明の実施の形態】
以下に本発明を図面に示す実施例により詳細に説明する。図１は本発明に係る内壁用型枠の支持構造を示す断面図であり、図２は係止金具の断面図である。
型枠１０は、型枠パネル１１、縦端太１２、横端太１３、桟木１４、セパレータ１５、サポート用縦端太１６、フォームタイ１７、係止金具２０、サポート部材１９で構成されている。係止金具２０とサポート部材１９以外の部材は、すべて上述の従来技術で説明した部材の構成と共通である。
【００１０】
図２に示す通り、係止金具２０は、軸２１と、台座２２と、ナット２３と、腕状金具２４とから構成されている。軸２１は螺子が切られたボルトであり、腕状金具２４を回転自在に取り付けて、縦端太と横端太を抱合してナット２３によって締めつける構成である。台座２２には木ねじ用の穴が穿設されており、木ねじ２５によって係止金具を型枠パネルの所定箇所に固定することができる。
【００１１】
サポート部材１９は、この実施例では鋼管の上下にそれぞれ受け板と台板を取り付けた構成であり、口径の太い鋼管の内部に口径の細い鋼管を伸縮自在に嵌入させて、長さを調節可能としている。サポート部材１９は床面から斜めに立ちあがってサポート用縦端太１６に装着される。サポート部材１９の下端部はアンカーによってずれないように床面に固定する。これにより、型枠パネルは床面に堅固に立設される。
【００１２】
本発明にかかる内壁用型枠の支持構造の施工方法は以下の通りである。
まず、内壁上部の梁の型枠を、セパレータ１５とフォームタイ１７を用いた従来の施工法によって組み上げる。
次に、内壁用の型枠パネル１１を所定位置に向かい合わせて設置する。コンクリート打設時に動かないように、型枠パネル１１の下端部は床面に適宜の方法で固定し、上端部は梁の型枠の下端部に桟木とくぎで固定する。
次に、型枠パネル１１に一定間隔で係止金具２０を取り付ける。係止金具２０の台座２２を型枠パネル１１の所定箇所にあてがい、木ねじ２５を用いて固定する。なお、型枠パネル１１を所定位置に立ち上げる前に、あらかじめ作業が容易な場所で型枠パネル１１に係止金具２０を取り付けておいてもよい。
【００１３】
次に、型枠パネル１１の外側に縦端太１２を所定間隔で配置する。続いて縦端太１２と係止金具２０の腕状金具２４との間に横端太１３を配置し、腕状金具２４の中に横端太１３を抱え込んだ状態で係止金具２０のナット２３を回し込んで縦端太１２及び横端太１３を同時に締め付けて固定する。
【００１４】
横端太１３の外側に、さらにサポート用縦端太１６を所定間隔で配置する。サポート用縦端太１６は、型枠パネル１１を床面に支持する為のサポート部材１９を型枠パネル１１に装着する為の縦端太であり、この実施例では縦端太１２と同じ素材が利用されている。ただし、サポート部材を型枠パネルに装着できる素材であれば材質等は問わない。
【００１５】
サポート用縦端太１６の下端部分の拡大図を図３に示す。サポート用縦端太１６の下端部は、サポート用縦端太固定具３０に挿入されて床面に固定される。サポート用縦端太固定具３０は、箱型本体３１と、一端に板状金具が固定されたボルト３２と、ナット３３により構成されている。
サポート用縦端太固定具３０を床面の所定位置に設置し、床面にアンカー３５を打ち込んで固定する。つづいて箱型本体３１の内部にサポート用縦端太１６の下端を挿入し、ボルト３２とナット３３で片側に押し付けて固定する。
サポート用縦端太１６は、固定具３０とサポート部材１９により所定位置に強固に固定、支持されるので、型枠工事の精度を向上させることができる。
【００１６】
上記のようにして型枠１０が組み上がった後、向かい合った型枠パネル１１の間にコンクリートを打設する。コンクリートが固化したら、サポート部材１９、縦端太１２及びサポート用縦端太１６、横端太１３を取り外す。続いて係止金具２０と型枠パネル１１を取り外す。なお、係止金具２０を付けたまま型枠パネル１１を取り外し、後から作業の容易な場所で係止金具２０を取り外すようにしてもよい。
【００１７】
係止金具２０を型枠パネル１１に固定する木ねじの長さは、長すぎると型枠パネルを貫通してしまい、内壁が完成した際に木ねじの跡が残ることになってしまうので、型枠パネルの厚さ以下にすることが望ましい。
【００１８】
コンクリート打設時に型枠１０を内側から外側へ押し広げようとする圧力は、従来はセパレータとフォームタイによって支えられていたが、本発明ではサポート部材１９によって支えられる。サポート部材１９の本数は、型枠に加わるコンクリートの圧力、換言すれば内壁の高さや幅を考慮して決定する。図面に示す実施例では、サポート用縦端太１６一本当たり２本のサポート部材１９を用いて、打設されるコンクリートの圧力を支えている。
【００１９】
従来、型枠パネルを組み上げる際には、まず片側の型枠パネルだけを設置し、セパレータを取り付けてからもう一方の型枠を設置しなければならなかった。型枠パネルの間にセパレータを設置する必要があったので、両側の型枠パネルを同時に立ち上げることができなかった。
本発明では、内壁の幅を決めるために梁の部分だけにはセパレータを用いるが、内壁部分ではセパレータを全く用いないので、内壁用型枠を両側から一度に立ち上げることが可能となり、効果的な工期の短縮に繋がっている。
【００２０】
従来の工法では、コンクリートの打設が終わり型枠を撤去した後、内壁表面から突出したセパレータの先端をハンマー等で叩き折る必要があり、この作業でコンクリート表面にできた窪みを修復する為に、該当箇所にモルタルを塗って平らに仕上げる必要があった。本発明では、内壁部分の型枠にセパレータを用いないので、型枠を撤去した時点で内壁表面は平滑であり、モルタルで仕上げを行う手間を省くことができる。
【００２１】
従来の型枠施工では、型枠パネル内部の鉄筋が邪魔してセパレータを所定の箇所にまっすぐに通すことができない場合があり、セパレータを少しずらして取り付けなければならないことが多かった。このため型枠パネルを設置する精度には限界があった。これに対して本発明では、内壁部分の型枠にセパレータを用いないので、型枠を正確に位置決めすることができ、正確な内壁工事を行うことができる。
【００２２】
本発明で用いられる係止金具２０は新たに開発された構造の金具であるが、簡易な構造なので安価に量産することが可能である。また、その他の型枠施工に必要とされる部材は従来の工法からすべて流用することができるので、施工に余分な費用がかからず、実施が非常に容易である。
【００２３】
【発明の効果】
上記詳述した本発明にかかる内壁用型枠の支持構造によれば、
１、使用するセパレータの本数を大幅に減らすことができるので、煩雑なセパレータ取り付けの手間を省くことができる上、施工に要する費用を削減することが可能となった。
コンクリート打設時に型枠に加わる圧力をサポート部材によって支えるので、セパレータで型枠を保持する必要が無くなった。
セパレータを用いないので、セバレータの先端を除去してモルタルで補修する作業が不要であり、工期の大幅な短縮が図れる。
横端太を型枠パネルに係止する係止金具は、木ねじによって型枠パネルに固定することができるので、フォームタイ及びセパレータを用いる必要がなくなった。
【図面の簡単な説明】
【図１】  本発明に係る内壁用型枠の支持構造を示す断面図
【図２】  本発明に係る係止金具を示す側面図
【図３】  （ａ）本発明に係るサポート用縦端太の下端部を示す断面図
（ｂ）本発明に係るサポート用縦端太の下端部を示す上面図
【図４】  従来の内壁用型枠の支持構造を示す断面図
【符号の説明】
１０  型枠
１１  型枠パネル
１２  縦端太
１３  横端太
１４  桟木
１５  セパレータ
１６  サポート用縦端太
１７  フォームタイ
１９  サポート部材
２０  係止金具
２１  軸
２２  台座
２３、３３  ナット
２４、５８  腕状金具
３０  サポート用縦端太固定具
３１  箱型本体
３２  ボルト
３５  アンカー
５０  型枠
５１  型枠パネル
５２  縦端太
５３  横端太
５４  桟木
５５  セパレータ
５６  座金
５７  フォームタイ
【図１】
0004031626.tif 000002
【図２】
0004031626.tif 000003
【図３】
0004031626.tif 000004
【図４】
0004031626.tif 000005